(57)【要約】【課題】  緩やかに冠っても、風などによって飛ばされることや、不用意に脱げることがなく、優れたファッション性を備えた新規な帽子を提供する。【解決手段】  帽子（10）の本体部（12）の少なくとも1箇所、望ましくは2箇所に、髪クリップ（20）の挟み嘴（22）を挿通し得る貫通孔（12-2）を設ける。  貫通孔（12-2）の形状は、特に限定されないが、一文字、丸、長円、楕円、半円、半楕円、各種の三角形、その他の形状とされる。  貫通孔（12-2）を設ける位置は特に限定されないが、鍔裏のある部分で、真横より後寄りに設けることが望ましい。  本発明はあらゆる種類の帽子に適用できる。【選択図】図1
2008308769.tif 000002
【特許請求の範囲】
【請求項１】
本体部（12）の少なくとも1箇所に、帽子本体と鍔裏を貫通して、髪クリップ（20）の挟み嘴（22）を挿通し得る貫通孔（12-2）を設けたことを特徴とする帽子（10、30、50）。
【請求項２】
貫通孔（12-2）が、帽子の横方向中央竪断面より後方3cm以上、6cm以下の範囲内に設けられた、請求項1に記載の帽子（10、30、50）。
【請求項３】
貫通孔（12-2）が、帽子の前後方向中央竪断面に対称に左右2箇所に設けられた請求項1又は2に記載の帽子（10、30、50）。
【請求項４】
髪クリップ（20、40、60）が取付けられた請求項1に記載の帽子（10、30、50）。
【発明の詳細な説明】
【技術分野】
【０００１】
本発明は、帽子、特に風などにより飛ばされたり、脱げたりしないよう、髪クリップを用いて確りと髪に取付け得るようにした新規な帽子に関する。
【背景技術】
【０００２】
帽子、特に鍔の着いた帽子は風邪に飛ばされ易く、又頭を下げたりしたときに脱げ易いと言う問題がある。
特に婦人用の帽子の場合、冠ったとき、髪型を潰さないよう緩やかな帽子が望まれるが、そのようにすると微風によっても飛ばされるようになる。
帽子を風邪に飛ばされたり、脱げたりしないようにするために、従来は、あご紐が用いられていた。
【０００３】
しかし、このあご紐はファッションセンスの観点からは論外のものであり、一部の制帽などの外には用いられていない。
更に、あご紐の改良について、多くの提案がなされているが、いずれの提案も非現実的なものであり、実用化されていない。
【０００４】
一方、ナースキャップなどでは、帽子を確りと髪に固定するため、ヘアピンが用いられているが、このような方法は一般の帽子、特に鍔付の帽子には不適当である。
又、帽子の内面に、櫛状の留め具や髪挟みを設ける提案もなされているが、何れも実用化されることは無かった。
又、所謂ハットピンにより帽子を髪に取付けることも周知であるが、これは帽子のデザインに制約があり、適用できるのは特殊な帽子に限られている上、髪への固定も緩やかなものであった。そのため、一般には用いられていない。
【０００５】
更に、帽子本体に小孔を設け、ここからヘアピンの一方の脚を差し込み、髪に帽子を留め付けることも提案されている。
【特許文献１】特開平6-322605  これは、帽子の鍔の付け根にヘアピンを差し込むすき間を開け、帽子と髪の毛をヘアピンで挟んで留めようとするものである。
【特許文献２】特開2000-328344  これは帽子の本体に穴を開け、ヘアピン状の固定具により、帽子と髪の毛を挟んで留めようとするものである。
【特許文献３】特願2001-262419  チューリップハットの左右の縫い目にヘアピンを通す縦穴を開け、帽子と毛髪をヘアピンで挟む。
【０００６】
これらの提案は、何れもヘアピンを用いて帽子を髪の毛に留めようとするものであるが、どれも単なる思い付きであって、充分効果的に帽子を固定できるものではなかった。
帽子の生地は厚く、又、裏地や鍔裏もあるので、ヘアピンでは帽子と共に多くの髪を挟むことが出来ず、帽子を確実に髪に留め付けることができない。
又一旦使用したヘアピンは先が広く広がるので、再利用が困難である。
要するにヘアピンはごく少量の髪を軽く留めるだけのものに過ぎず、帽子が風で飛ばされるのを防ぐというような用途には向いていない。
そしてヘアピンで一旦髪に留めた帽子が吹き飛ばされると、髪形が大きく崩れることとなる。
【０００７】
又、ヘアピンの一方の脚が帽子の外に見えるので、見た目が悪く、帽子のデザインが損なわれるという問題もあった。
更に、チューリップハットの縫い目に隙間を設け、ヘアピンを挿すと、その部分からほつれが生じる恐れもある。
ファッションセンスに優れた確実な帽子固定手段を備えた帽子が提供されれば、大変好都合であり、産業上多大の利益があるが、今まで実用的な帽子固定手段を備えた実用的な帽子は提案されていない。
【発明の開示】
【発明が解決しようとする課題】
【０００８】
本発明が解決しようとする課題は、ファッションセンスに優れた強固な帽子固定手段を具備し、風等では飛ばされたりすることのない新規な帽子を提供することである。
【課題を解決するための手段】
【０００９】
本発明においては、帽子を、大型で美麗な髪クリップを用いて髪に確りと留め得るようにする。
帽子の形状、材質には何ら制限がなく、鍔や庇、リボン等の有無、生地や材料の種類、子供用、婦人用、紳士用、制帽、作業用、正装用、外出用等の区別なく、帽子のタイプも、スキマー、ピクチュアハット、クローシェ、クーリーハット、ブルトン、キャプリーヌ、キャノティエ、セーラー帽、ビーチハット、ベレー、マッシュルームなど、如何なる形の帽子にも適用できるものである。
【００１０】
本明細書及び特許請求の範囲において、髪クリップとは、一対の髪挟み具をそれらの端部近傍に設けた枢軸により開閉自在に結合し、両者の間に、髪挟み具の先端が閉じる方向に弾性トルクを与えるバネを設けて成るものを言う。
このバネとしては、各種のコイルバネや、板バネが用いられる。
【００１１】
又、上記一対の髪挟み具は、頭皮に沿うよう湾曲しており、装着したとき外側となる方には、装飾が施されている。
髪クリップの長さは、好ましくは5cm以上、20以下、更に好ましくは6cm以上12cm以下である。
5cm以下の小型の髪クリップは扱い難く、帽子を髪に充分強固に留めることができないが、20cm以上の大型のものは、帽子の中に入りきれない上、重すぎるので不適当である。8cm〜10cm程度のものが最も好ましいい。
本明細書及び特許請求の範囲においては、装着時、頭皮側になる方の髪挟み具を挟み嘴、装飾が施されており帽子の外側になる方を飾り嘴と言うこととする。
【００１２】
而して、本発明においては、帽子を、髪クリップを用いて髪に確りと留め付けるため、帽子の本体部、即ち、頭部を覆う部分の少なくとも一箇所に髪クリップの留め嘴を挿通し得る貫通孔を設ける。
本発明に係る帽子を冠った後、所望の髪クリップの留め嘴を貫通孔から挿入し、飾り嘴との間に、髪と共に帽子の生地を挟み付け、帽子を確りと留めつける。
【００１３】
この貫通孔は、帽子本体の表地及び裏地、更には鍔裏や鉢巻のあるところではそれらをも含めて貫通するように設けられ、それらの周縁部は一体的にかがりつけられるか、又はプラスチック製若しくは金属製のハトメ、接着芯などによりほつれない様に仕上げる。
貫通孔を設ける位置には、特に制約はないが、通常は鍔裏のある部分で、帽子の横方向中央竪断面より後方3cm以上、8cm以下の範囲内、更に望ましくは3cm以上6cm以下の範囲内であることが望ましい。
この貫通孔から、前方に向けて挟み嘴を挿入し、鬢の辺りで髪と帽子を挟むようにする。
尚、帽子や髪クリップのデザインによっては、横方向中央竪断面より前方に貫通穴を設け、後方に挟み嘴を挿入する場合もある。
いずれの場合でも、鬢の辺りで髪を挟むようにする。髪クリップは水平にではなく、やや傾けて装着することが推奨される。
貫通孔の数にも制約はないが、これを2箇所に設けるときは、帽子の前後方向中央竪断面に対称に左右2箇所の設けることが推奨される。
【００１４】
貫通孔の形状は、一文字であっても別段差し支えないが、丸、長円、楕円、半円、半楕円、各種の三角形、D字型その他の形状、特に直角三角形状又は半楕円型とすることが推奨される。
その理由は、髪バサミを挿入し、その傾きを調整しつつ帽子を髪に取付けたとき、帽子に皺が生じないからである。
尚、この貫通孔の数や位置などには制限はなく、例えば、これらの貫通孔は装飾を兼ねて多数、一列又は多数列に配列することもある。
又、この貫通孔の周辺などには、髪クリップを挿通しない場合にも、美観を保てるよう刺繍や、アップリケその他の装飾を施したり、孔を塞ぐフラップを設けたりすることもある。
【００１５】
一対の髪挟み具は、装着者の頭部の外形形状に沿うように適宜に湾曲しているものが好ましい。
又更に、この髪挟み具は、枢軸側から髪を挟む側の先端部に向かって、次第に細くし、鳥の嘴状とする。
飾り嘴及び挟み嘴の先端部の縁辺部には、鋸歯状のギザギザが形成されていて、髪を確りと挟めるようになっている。
通常の髪挟み具は、飾り嘴の先端は、挟み嘴の先端より幅広く、挟み嘴の先端を抱擁するようになっているが、本発明で使用する髪鋏みではそのように構成する必要はない。
更に、枢軸側の端部は、指で挟んで押圧して、一対の髪挟み具の先端を開き得るような形状とする。
飾り嘴の表面には、美麗な仕上げを施し、造花、珠玉、宝玉、螺鈿、貴石、彫物その他の飾りを設ける。
又、従来公知の髪クリップでは、紙挟み具の枢軸側の単部は広く開いていて、挟み嘴の内側面が見えるようになっているが、できるだけこの部分が見えないように構成することが望ましい。
【発明の効果】
【００１６】
本発明に係る帽子は、これを被る際、帽子本体に設けた貫通孔に髪クリップの挟み嘴を挿通し、飾り嘴との間に、帽子の本体部の布と共に髪を挟み込み帽子を確りと髪に留め付けるので、強い風に吹かれても吹き飛ばされることがなく、又、頭を下げたとき脱げ落ちるようなことも無くなる。
又、帽子を緩やかに被れるよう大きくしても吹き飛ばされなくなるので、髪形を崩すことのない大き目のゆったり被れる帽子を提供することが出来る。
【００１７】
又、複数の帽子と髪クリップを様々に組み合わせられるので、使用者は多様なファッションを楽しむことができる。
本発明によるときは、帽子に従来見られない大型で美麗な髪クリップを組み合わせた新規なファッションを提供できるので、帽子の新規な需要が開拓され、商業上多大の利益が得られる。
【発明を実施するための最良の形態】
【００１８】
以下図面により、本発明を実施するのに好適な実施例について説明する。
図1は、本発明に係る帽子の第1実施例を示す斜視図、図2は、図1に示した帽子に、髪クリップを取付けた状態を斜め後方から見た状態示す斜視図、図3は髪クリップの一例を示す側面図、図4は第2の実施例を示す斜視図、図5は第3実施例の鍔無し帽子を冠った状態を示す説明図、図6は第4実施例のビーチハットを示す写真、図7は第5実施例の麦わら帽子を示す写真である。
【実施例１】
【００１９】
図1及び図2において、10は鍔付の帽子である。
この帽子10の頭部を覆う部分即ち、本体部12の右側頭部のやや後寄りに、縦一文字型の貫通孔12−2が設けられている。
この貫通孔12−2は、帽子の表地、裏地及び鍔裏を貫通するよう設けられており、それらの孔の縁辺部は一体的にかがり付けられている。
帽子に幅広いリボンが付けられているときは、リボンのデザインに応じて貫通孔12−2の位置をアレンジする。
而して、この貫通孔12−2には、図2に示すように、図3に示す髪クリップ20が取付けられる。
【００２０】
髪クリップ20の一例は図3に示されている。
図3において、22は挟み嘴、24は飾り嘴、26は枢軸、28−2、28−4、28−6及び28−8は造花、宝玉などの飾りである。
挟み嘴22と飾り嘴24とは、一端部の近傍に設けられた枢軸26により開閉自在に結合されており、両者の間には図示しないスプリングが設けられ、図中左側の先端部が閉じる方向に弾性トルクが付与されるようになっている。
飾り嘴24及び挟み嘴22の先端部の縁辺部には、鋸歯状のギザギザが形成されていて、髪を確りと挟めるようになっている。  
【００２１】
この髪クリップ20の挟み嘴22は、帽子10の貫通穴12に相通され、飾り嘴24と協働して、帽子10の本体12の布を頭髪と共に挟み、帽子が風などで飛ばされたり、不用意に脱げたりしないように確りと留め付ける。
【実施例２】
【００２２】
図4に示されたチューリップ型ハットの第2実施例においては、髪クリップ40は帽子30の左側面にも取付けられている。
帽子の左右に髪クリップを取付けるときは、大きさを変えることが推奨される。
【実施例３】
【００２３】
図5には、本発明の第3実施例である鍔なしのキャップ50を冠った女性の頭部が示されている。
ここで、帽子50は髪クリップ60により確りと髪に留め付けられているから風で飛ばされることもなく、又、頭を下げたり、激しく体を動かしたりしたとき、帽子50が不用意に脱げることもない。
尚、このような深く被らない帽子50の場合、髪クリップ60は帽子50の左右2箇所、又は前後2箇所に設けることが推奨される。
【００２４】
図6には第4実施例のビーチハットが示されており、図7には第5実施例の麦わら帽子が示されている。
本発明は、これらのような厚手で粗めの素材を用いた帽子にも適用でき、広幅の鍔付帽子でも確実に帽子を留めることができ、海辺の強風でも帽子が飛ばされることがない。
【産業上の利用可能性】
【００２５】
本発明によるときは、風などによって飛ばされたり、脱げたりすることがなく、又、優れたデザインの髪クリップと共に用いることのできる新規な帽子を提供し得るものである。
【図面の簡単な説明】
【００２６】
【図１】本発明に係る帽子の第1実施例を示す斜視図である。
【図２】図1に示した帽子に、髪クリップを取付けた状態を示す斜視図である。
【図３】髪クリップの一例を示す側面図である。
【図４】第2実施例を示す斜視図である。
【図５】第3実施例の鍔無し帽子を冠った状態を示す説明図である。
【図６】図6は第4実施例のビーチハットを示す写真である。
【図７】図7は第5実施例の麦わら帽子を示す写真である。
【符号の説明】
【００２７】
10、30、50    帽子
12            帽子本体部
12−2         貫通孔
20、40、60    髪クリップ
22            留め嘴
24            飾り嘴
26            枢軸
28−2、28−4、28−6、28−8  飾り
【図１】
2008308769.tif 000003
【図２】
2008308769.tif 000004
【図３】
2008308769.tif 000005
【図４】
2008308769.tif 000006
【図５】
2008308769.tif 000007
【図６】
2008308769.tif 000008
【図７】
2008308769.tif 000009